(57)【要約】【課題】プラントの経年劣化による性能劣化を検知し、自動でその性能劣化を補正するガスタービン制御装置および制御方法を提供することにある。【解決手段】燃料と圧縮空気を用いて燃焼を行うガスタービンの排気を、排気ダクトを介して後流側の機器に与えるとともに、ガスタービン出口排気温度を設定値に制御すべく燃料量を制御するガスタービンシステムの制御装置であって、ガスタービン出口排気温度を設定値に制御する調節機能部と、調節機能部に与えるガスタービン出口排気温度を補正する排気温度補正部と、ガスタービン出口排気温度と後流側機器の入口排気温度の温度差が所定温度を超えることを検知する補正条件確認部とを備え、温度差が所定温度を超えるときには調節機能部に与えるガスタービン出口排気温度の増加を抑制する方向に補正することを特徴とする。【選択図】図１
2015001215.tif 000002
【特許請求の範囲】
【請求項１】
燃料と圧縮空気を用いて燃焼を行うガスタービンの排気を、排気ダクトを介して後流側の機器に与えるとともに、前記ガスタービン出口排気温度を設定値に制御すべく、前記燃料量を制御するガスタービンシステムの制御装置であって、
前記ガスタービン出口排気温度を設定値に制御する調節機能部と、該調節機能部に与える前記ガスタービン出口排気温度を補正する排気温度補正部と、前記ガスタービン出口排気温度と前記後流側機器の入口排気温度の温度差が所定温度を超えることを検知する補正条件確認部とを備え、
前記温度差が所定温度を超えるときには前記調節機能部に与える前記ガスタービン出口排気温度の増加を抑制する方向に補正することを特徴とするガスタービンシステムの制御装置。
【請求項２】
請求項１記載のガスタービンシステムの制御装置であって、
前記ガスタービン出口排気温度の増加を抑制する方向に補正するときの排気温度補正量は、蓄積されたデータベースから定められることを特徴とするガスタービンシステムの制御装置。
【請求項３】
請求項２記載のガスタービンシステムの制御装置であって、
前記データベースは、前記ガスタービン出口排気温度と前記後流側機器入口排気温度の温度偏差と、燃焼温度の関係を蓄積しているものであることを特徴とするガスタービンシステムの制御装置。
【請求項４】
請求項１から請求項３のいずれか１項に記載のガスタービンシステムの制御装置であって、
前記ガスタービン出口排気温度の設定値は、ガスタービンの空気圧縮機出口圧力とガスタービン排気温度から定められることを特徴とするガスタービンシステムの制御装置。
【請求項５】
請求項１または請求項２記載のガスタービンシステムの制御装置であって、
前記ガスタービン出口排気温度の増加を抑制する方向に補正する処理は、前記ガスタービン出口排気温度と前記後流側機器の入口排気温度の温度差が所定温度範囲内にあるときに実施されることを特徴とするガスタービンシステムの制御装置。
【請求項６】
燃料と圧縮空気を用いて燃焼を行うガスタービンの排気を、排気ダクトを介して後流側の機器に与えるとともに、前記ガスタービン出口排気温度を設定値に制御すべく、前記燃料量を制御するガスタービンシステムの制御方法であって、
前記ガスタービン出口排気温度を設定値に制御するとともに、前記ガスタービン出口排気温度と前記後流側機器の入口排気温度の温度差が所定温度を超えるときには、前記設定値と比較される前記ガスタービン出口排気温度を、計測した値よりも小さい値に補正して与えることを特徴とするガスタービンシステムの制御方法。
【請求項７】
燃料と圧縮空気を用いて燃焼を行うガスタービンの排気を、排気ダクトを介して後流側の機器に与えるとともに、前記ガスタービン出口排気温度を設定値に制御すべく、前記燃料量を制御するガスタービンシステムの制御方法であって、
前記ガスタービン出口排気温度を設定値にすべく前記燃料量を制御するとともに、前記ガスタービン出口排気温度と前記後流側機器の入口排気温度の温度差が所定温度を超えるときには、前記燃料量を増やすことを特徴とするガスタービンシステムの制御方法。
【発明の詳細な説明】
【技術分野】
【０００１】
本発明はガスタービン発電プラントの性能劣化を検知、補正することにより、プラント出力、効率の低下を未然に防ぐためのガスタービンシステムの制御装置および制御方法に関する。
【背景技術】
【０００２】
ガスタービンは、長期運転により出力、効率の低下といった性能劣化を生じる。性能劣化の原因には、主として圧縮機効率の低下と高温部品の劣化が挙げられる。
【０００３】
前者の圧縮機効率の低下について、ガスタービンは大気を連続的に取り込むため、大気中に含まれる塵、埃等が圧縮機翼に付着することで、圧縮機吐出圧力が低下し、圧縮機効率を下げるというものである。この解決方法には、圧縮機内に洗浄水を投入し、圧縮機翼に付着した汚れを落とす方法があり、水洗浄系統さえあれば、大掛かりな分解、部品交換作業を必要としない。
【０００４】
後者の高温部品の劣化に関して、ガスタービンの高温部品は１３００℃といった高温にさらされるため、熱負荷によってガスタービン動翼先端が損傷し、シュラウドが摩耗することで、翼間隙が拡大するというものである。そして翼間隙が拡大すると、燃焼ガスがこの間隙を通過することで、ガスタービンの熱エネルギー回収率が低下することから出力低下を引き起こす。
【０００５】
また仕事をしない燃焼ガスは高温のまま排気ダクトへ流れていくため、排気温度が高めに検出されることになる。これに対し、ガスタービン制御装置による定格出力での運転では、燃焼温度が一定になるよう燃料流量が制御されるが、燃焼温度を直接計測できる計器は未だ存在しないため、排気温度と空気圧縮機の吐出圧から燃焼温度を推定し、燃料流量を制御している。
【０００６】
このことは、高温部品の経年劣化によって排気温度が高めに計測されると、燃焼温度も計画より高いと判断されることを意味しており、ガスタービン制御装置により投入燃料流量が抑制されてしまうため、出力や効率の一層の低下を招いてしまうことになる。
【０００７】
この高温部品の寿命を診断する方法には、ガスタービン出口での排気温度と排熱回収ボイラ入口温度の温度差の変化により、データベースにあらかじめ蓄積された温度差と高温部品の損傷レベルとの関係を用いる方法が特許文献１により知られている。
【先行技術文献】
【特許文献】
【０００８】
【特許文献１】特開２０１１−２５６７３４号公報
【発明の概要】
【発明が解決しようとする課題】
【０００９】
ガスタービンの高温部品は、高い熱応力や遠心力が作用する過酷な環境下で使用されるため、定期的な交換を行うことが前提にあり、損傷した高温部品は交換することによってのみ、その性能が回復される。この高温部品の交換には、ケーシングを開放する必要があるため、あらかじめ長期的なスケジュールを立て各部品の交換周期を決めた上での交換を行っている。
【００１０】
そのため、次の定期点検が行われるまでの期間では、高温部品の損傷具合を確認することは難しく、性能回復策をとることも困難であり、また高温部品の損傷により性能が未達の状態でも運転継続することを余儀なくされるため、運用に支障をきたしてしまうことになる。然るに発電所にとってプラント効率の低下は収益悪化に直結するため、大きな痛手である。
【００１１】
ガスタービン高温部品の経年劣化は、タービン動翼先端部が熱負荷によって損傷したり、ケーシング内側に設置されるシュラウドが動翼との接触によって削られたり、高温によって減肉することで生じる。これらの経年劣化によってタービン動翼とケーシングとの間隙が拡大し、仕事をしない燃焼ガスが高温のまま下流へ流れていくことによって、タービンの熱回収率が下がり出力低下を招く。
【００１２】
また、燃焼ガスが高温のまま下流へ流れるため、排気ガス温度は半径方向に高くなるような温度分布を持つ。ガスタービン出力が定格負荷付近に到達すると、排気温度制御によって燃料流量調節弁の制御を支配する。排気温度制御では、測定した排気温度をフィードバックし、圧縮機吐出圧力の関数で定義される排気温度制御線に一致するように運転することで、燃焼温度を一定にするよう燃料流量調節弁を制御している。高温部品の劣化により、測定位置での排気温度が高くなると、計画燃焼温度に達していなくても、排気温度制御により、燃焼温度の規定値に達していると判断するため、結果として、燃料流量が計画よりも抑制される。そのために、ガスタービンの性能が一層低下することになる。
【００１３】
このように高温部品の劣化によって計画燃焼温度に到達しない状態にも関わらず、ガスタービン制御装置は、定格状態での運転であると誤認識してしまうことで、性能劣化が生じるケースが存在する。特に、コンバインドサイクルの運転では、ガスタービンの排気ガス温度が発生蒸気量に大きく依存するため、排熱回収ボイラＨＲＳＧ入口温度の低下が蒸気タービンの出力低下を招くことによって、プラント全体での効率が大きく低下してしまう。
【００１４】
従って、高温部品の劣化による性能劣化の検出と、その性能劣化を未然に防ぐことができれば、従来よりも効率の良い発電を行うことが可能になる。
【００１５】
以上のことから本発明の目的は、プラントの経年劣化による性能劣化を検知し、自動でその性能劣化を補正するガスタービンシステムの制御装置および制御方法を提供することにある。
【課題を解決するための手段】
【００１６】
燃料と圧縮空気を用いて燃焼を行うガスタービンの排気を、排気ダクトを介して後流側の機器に与えるとともに、ガスタービン出口排気温度を設定値に制御すべく燃料量を制御するガスタービンシステムの制御装置であって、
ガスタービン出口排気温度を設定値に制御する調節機能部と、調節機能部に与えるガスタービン出口排気温度を補正する排気温度補正部と、ガスタービン出口排気温度と後流側機器の入口排気温度の温度差が所定温度を超えることを検知する補正条件確認部とを備え、温度差が所定温度を超えるときには調節機能部に与えるガスタービン出口排気温度の増加を抑制する方向に補正することを特徴とする。
【発明の効果】
【００１７】
本発明により、ガスタービン高温部品の劣化により生じるプラント性能劣化程度を把握し、自動で性能劣化を計画時の性能へ補正することができる。
【図面の簡単な説明】
【００１８】
【図１】一般的なコンバインドサイクル発電プラントとその制御装置のシステム構成図。
【図２】燃焼ガス温度とタービン出口排気温度と排熱回収ボイラ入口排気温度の経年変化の関係を示す図。
【図３】ガスタービン出口排気温度と排熱回収ボイラ入口排気温度の偏差の経年変化を示す図。
【図４】燃焼温度を一定に保つための燃料制御手法を説明するための図。
【図５】制御装置内の構成を示す図。
【発明を実施するための形態】
【００１９】
以下、本発明の実施形態を、図を用いて説明する。
【実施例】
【００２０】
図１は、一般的なコンバインドサイクル発電プラントとその制御装置のシステム構成図である。まずコンバインドサイクル発電プラントは、ガスタービンシステムＧＴと排熱回収ボイラ７で構成されている。ガスタービンシステムＧＴは、空気圧縮機１と燃焼器２とガスタービン３と排気ダクト８で構成されている。
【００２１】
ガスタービンシステムＧＴにおいて、取り込まれた大気Ａは空気圧縮機１で圧縮され、圧縮空気ＡＣとして燃焼器２へ供給される。燃焼器２では、燃料調節弁４により供給される燃料Ｆが圧縮空気ＡＣと共に燃焼し、燃焼ガスＧ１が発生する。発生した燃焼ガスＧ１はガスタービン３へと送られ、高温高圧の燃焼ガスＧ１がガスタービン３を駆動することで、燃焼ガスＧ１の熱エネルギーはガスタービン３の回転エネルギーに変換される。
【００２２】
仕事をした燃焼ガスＧ１は排気ダクト８を経由して後流側の機器である排熱回収ボイラ７に送られ、ガスタービン３で回収されなかった熱エネルギーが排熱回収ボイラ７で回収され、図示せぬ蒸気タービンを駆動するための動力源である蒸気発生熱源として再利用される。図１では、ガスタービン出口での燃焼排気ガスをＧ２と表示し、排熱回収ボイラ７入口での燃焼排気ガスをＧ３と表示している。なお後流側の機器としてはその他にも幾つかのものがあり、本発明では交流側機器は何であってもよい。
【００２３】
係る構成のコンバインドサイクル発電プラントに対し、その制御装置９はガスタービン出口での燃焼排気ガスＧ２の温度Ｔ１と、排熱回収ボイラ７入口での燃焼排気ガスＧ３の温度Ｔ２とを入力して、燃料調節弁４により供給される燃料Ｆを制御している。制御装置９の具体的構成を図５に示し、後述する。
【００２４】
ここでガスタービン出口に設置された温度計Ｓ１は、ガスタービン出口での燃焼排気ガスＧ２の温度Ｔ１を測定するために設置されており、また排熱回収ボイラ入口に設置された温度計Ｓ２は、均一化された温度分布を持つ排熱回収ボイラの入口における排気温度を計測するためのものである。
【００２５】
なおガスタービン出口での燃焼排気ガスＧ２の温度Ｔ１は、その計測位置により大きく変化しており、一般には外周部において高温であり、中心部で低温が計測される傾向にある。温度計Ｓ１は、外周部の高温領域に設置されてこれを計測する。これに対し、下流側の排熱回収ボイラ入口での排気温度は均一化されており、排熱回収ボイラ入口に設置された温度計Ｓ２は、均一化された排気温度を計測している。
【００２６】
温度計Ｓ１、Ｓ２で測定された排気温度Ｔ１、Ｔ２は、プラント性能監視装置である制御装置９内に取り込まれる。制御装置内にはガスタービン出口での排気温度Ｔ１と排熱回収ボイラ入口での排気温度Ｔ２の偏差ΔＴと、排気温度の計画温度との偏差の関係が、過去の様々なプラントでの運転データを基に、データベースとして蓄積されている。
【００２７】
図２は燃焼ガス温度Ｔ０とタービン出口排気温度Ｔ１と排熱回収ボイラ入口排気温度Ｔ２の経年変化の関係を示す図である。この図の横軸は経過時間ｔを示し、縦軸にガスタービン燃焼温度Ｔ０、ガスタービン出口排気温度Ｔ１、排熱回収ボイラ入口排気温度Ｔ３を表示している。また時刻ｔ０は新品状態での各温度を示している。
【００２８】
これらの温度の時系列的な変化について説明する。まず、ガスタービン出口排気温度Ｔ１は、プラント性能監視装置である制御装置９による温度一定制御の結果として一定に保持され、時系列変化しない。これに対し、排熱回収ボイラ入口排気温度Ｔ２は高温部品劣化により、ガスタービン運転時間が長くなるほど低くなる傾向を示す。この理由は以下のようである。
【００２９】
まずガスタービンは長期運転に伴い、タービン動翼やシュラウドといった高温部品の劣化が生じる。タービン動翼が熱負荷によって先端が損傷し、またシュラウドがタービン動翼との接触によって摩耗することによって、ケーシングと動翼の間隙が拡大する。この間隙を燃焼ガスが通過することによって、仕事をしないまま下流へ流れるため、排気ディフューザ壁面に沿った領域での排気ガス温度は高くなる。つまり劣化が進展するほど、間隙からの漏れによる仕事をしない燃焼ガスが多くなり、外周部の排気ガス温度のみが高くなる傾向を示す。
【００３０】
ところでガスタービン出口の排気は、半径方向に温度分布を持つが、高温部品の劣化が進行することにより、この温度分布は外周部の温度がより高くなり、顕著に現れる。これに対し、ガスタービンの出口排気温度Ｔ１を測る計器Ｓ１は、排気ダクト外周部に設置されているため、同一断面でも高めの排気温度が検出され、制御装置９にガスタービン出口排気温度Ｔ１としてとりこまれることになる。
【００３１】
他方、排熱回収ボイラ入口排気温度Ｔ２についてみると、燃焼排気ガスはガスタービン出口を出た後に、ある程度距離を持った排気ダクト８内を流れることによって、温度が均一化される。このため、排熱回収ボイラ入口排気温度Ｔ２はガスタービン出口排気温度Ｔ１よりも、低い値で検出される。このように流路断面で均一化されたガスタービン出口排気温度Ｔ２は、実質的には低下傾向にある分、燃焼温度は計画よりも低くなっており、性能劣化を生じる。
【００３２】
さらにそのうえ、ガスタービン出口排気温度Ｔ１を一定に制御する制御装置９による影響が上乗せされる。制御装置９の帰還信号であるガスタービン出口排気温度Ｔ１は、ガスタービンに形成された間隙からの漏れによる仕事をしない燃焼ガスの温度であり、局所的に高くなっている排気温度である。このため制御装置９は、経年変化の影響を受けて高温化したガス温度を検出してこれを一定に制御することになる。
【００３３】
制御装置９での制御の結果、ガスタービン出口排気温度Ｔ１は一定に保たれる。但し、経年変化により高めに検知されたガスタービン出口排気温度Ｔ１を一定にするために燃料流量Ｆを減少させることになり、この結果燃焼温度は時系列的に低下する。またガスタービン出口排気温度Ｔ１は外周部は高いが内部は低い傾向が一層顕著になり、実質的には低下傾向にあることもあって、排熱回収ボイラ入口排気温度Ｔ２も時系列的に低下する。
【００３４】
この場合に、ガスタービン出口排気温度Ｔ１について実質的な排気温度低下を判断することができないが、均一化された温度である排熱回収ボイラ入口排気温度を監視することによって、排気温度の低下分を確認することが可能である。排熱回収ボイラ入口排気温度は、図２の低下特性のように、実質的な排気温度低下分だけ低下し、燃焼温度も低下する傾向が表れている。
【００３５】
以上のことから本発明においては、ガスタービン出口排気温度Ｔ１だけではその実質的な排気温度低下を判断することができないが、排熱回収ボイラ入口排気温度Ｔ２との関係では、経年劣化を把握することが可能であるという点に着目している。つまり、新品時におけるガスタービン出口排気温度Ｔ１と排熱回収ボイラ入口排気温度Ｔ２の温度差ΔＴ０の、その後の変化を監視すれば時間経過とともに増大する傾向があり、これが所定値より増大すればそれは劣化と判断することができる。またこの判断結果を制御装置９での制御に反映することが可能である。
【００３６】
図３はガスタービン出口排気温度Ｔ１と排熱回収ボイラ入口排気温度Ｔ２の偏差ΔＴの経年変化を示した図である。図２で説明したように、ガスタービン出口排気温度Ｔ１は経年変化しないことに対し、排熱回収ボイラ入口排気温度Ｔ２は時間経過により低下する傾向を示すため、両者の偏差ΔＴは時間の経過に従って増加する傾向となる。
【００３７】
この偏差ΔＴが増加傾向を示す理由は前述のとおりであり、高温部品の劣化が生じていない状態でも、ガスタービン出口排気温度Ｔ１と排熱回収ボイラ入口温度Ｔ２の偏差ΔＴは生じるが、劣化が進行することによって、偏差は大きくなる傾向となる。
【００３８】
図３の横軸は時間、縦軸はガスタービン出口排気温度Ｔ１と排熱回収ボイラ入口排気温度Ｔ２の偏差ΔＴである。この図３によれば、新品時の初期状態での温度差はΔＴ０である。以後時間経過とともに温度差ΔＴが増加していく。
【００３９】
時間経過と温度差ΔＴの上記関係を把握、利用して本発明では適宜運転態様を変更する。まずこの図において、温度差ΔＴが第１の設定温度差ΔＴｂよりも小さい時間範囲（ｔ０−ｔ１）は、健全運転範囲であり、経年劣化が進展していない状態であるので通常運転を実施する。
【００４０】
これに対し、温度差ΔＴが第１の設定温度差ΔＴｂと第２の設定温度差ΔＴｃの間にある時間範囲（ｔ１−ｔ２）は経年劣化が進展した状態であり、補正制御の適用範囲である。この範囲では、高い値に検知されたガスタービン出口排気温度Ｔ１により燃料流量が不必要に減少されていることを阻止し、この結果として燃焼温度Ｔ０、排熱回収ボイラ入口温度Ｔ２の温度低下を阻止し、効率アップを図る。
【００４１】
上記制御をおこなってもなお、温度差ΔＴが第２の設定温度差ΔＴｃ以上となる時間範囲（ｔ２−ｔｎ）は、ある意味放置範囲であり、次のガスタービンの定期点検を待つ状態に入る。この状態でどのように運転するか、あるいは停止するかは適宜判断されるのがよい。
【００４２】
図４は、燃焼温度を一定に保つための燃料制御手法を採用した排気温度制御についての説明図である。同図は横軸が空気圧縮機１の吐出圧力Ｐｃ、縦軸がガスタービン出口排気温度Ｔ１を示している。
【００４３】
ガスタービンは定格出力付近では、許容される燃焼温度範囲内で、最大効率での運転となるように、燃焼温度Ｔ０が一定になるように燃料流量が制御される。しかし、燃焼温度Ｔ０は、１３００℃と非常に高温であり、直接測定することは不可能であるため、空気圧縮機吐出圧力Ｐｃとガスタービン出口排気温度Ｔ１から推定して制御されている。
【００４４】
実質的には計測した排気温度Ｔ１を利用して、燃焼温度Ｔ０の管理を行っているため、高温部品の劣化等によって排気温度Ｔ１が高めに検出されてしまうと、計画燃焼温度に達していなくても、排気温度Ｔ１は図４に示す排気温度制御線に一致するため、それ以上、燃料を投入することができなくなってしまい、その結果、燃焼温度Ｔ０低下による出力、効率の低下を招いてしまう。
【００４５】
この性能劣化を防ぐために、プラント性能監視装置である制御装置９内には、ガスタービン出口排気温度Ｔ１と排熱回収ボイラ入口温度Ｔ２との偏差ΔＴと燃焼温度低下幅の関係がデータベース化され蓄積されている。また制御装置９内には、図３に示すように、あらかじめ、燃焼温度の補正を行う範囲を任意に定めておくことができ、回避したい出力・効率低下に相当する排気温度偏差ΔＴｂ、ΔＴｃが制御装置９内に設定されることで、自動で対象となる性能劣化を検知することが可能である。
【００４６】
図５は制御装置内の構成を示す図である。この図を用いて、低下した燃焼温度の補正を自動で行う方法について説明する。図５に示す制御装置９は、３つの機能で構成されている。
【００４７】
このうち９Ａは調節機能部であり、ガスタービン出口排気温度設定器９１が与えるガスタービン出口排気温度の設定値Ｔ１０に対して、計測したガスタービン出口排気温度Ｔ１との偏差ΔＴ１を減算回路９２で求め、比例積分調節器９３を介して燃料流量調節弁４を制御する。これにより、ガスタービン出口排気温度Ｔ１をその設定値Ｔ１０に一致させるように作動する。なお、ガスタービン出口排気温度設定器９１は図４の特性を用いて算出されるのがよい。また切替回路９４は燃料流量調節弁４の複数の制御信号の中から、通常運転状態において比例積分調節器９３からの制御信号を選択する。起動あるいは、停止運転状態などでは図示せず別の制御系からの制御信号が選択される。
【００４８】
また図５において９Ｂは排気温度補正部、９Ｃは補正条件確認部であり、これらの回路部分は本発明により追加されたものである。追加回路部分の説明の前に、従来における制御装置各部信号の時系列変化を確認しておく。但し、図５のガスタービン出口排気温度設定値Ｔ１０は一定値を保持しているものとする。従来ではガスタービン出口排気温度Ｔ１が増加傾向を示すことから、減算回路９２の温度偏差ΔＴ１は負の値となり、燃料流量調節弁４を絞り燃料を減少させるように働いてしまう。
【００４９】
つまり従来の回路構成では、排気温度補正部９Ｂの選択回路９５が選択するガスタービン出口排気温度Ｔ１（信号Ｘ２）は時系列的増加傾向を示すことが原因となって燃料を減少させるように働らく。このため本発明では排気温度補正部９Ｂの選択回路９５により、ガスタービン出口排気温度Ｔ１が時系列的増加傾向を示さない信号Ｘ２を選択し、燃料を減少させないようにした。なお信号Ｘ２は一定である必要はなく、時系列的増加傾向が緩和されていることが要求される。
【００５０】
補正条件確認部９Ｃは、要するに図３の時間範囲ｔ１からｔ２の期間に、排気温度補正部９Ｂの選択回路９５が選択するガスタービン出口排気温度信号としてＸ１を選択したものである。
【００５１】
まず、補正条件確認部９Ｃの論理について説明する。排気温度偏差ΔＴは、図２で説明したガスタービン出口排気温度Ｔ１と排熱回収ボイラ入口温度Ｔ２との偏差ΔＴであり、時系列的に増加する傾向を示す。比較回路９９は、図３の関係において温度差ΔＴが第１の設定温度差ΔＴｂよりも大きくなっている時に出力１を与える。同様に比較回路１００は、図３の関係において温度差ΔＴが第２の設定温度差ΔＴｃよりも小さい時に出力１を与える。従って論理積回路１０１は、手動による補正機能が行われているという前提のもとで、温度差ΔＴが第１の設定温度差ΔＴｂと第２の設定温度差ΔＴｃの間にある時間範囲（ｔ１−ｔ２）において、排気温度補正部９Ｂの選択回路９５が選択するガスタービン出口排気温度信号としてＸ１を選択せしめるものである。なお、温度差ΔＴが第１の設定温度差ΔＴｂよりも小さいときには、帰還信号としてはＸ２を選択している。
【００５２】
次に排気温度補正部９Ｂの動作について数値を用いて説明する。まず、検出されたガスタービン出口排気温度Ｔ１は、例えば値が正常状態で１０であるところ、１１に向かって時系列的増加傾向を示したものとする。他方排気温度補正部９Ｂの排気温度補正量設定器１０２は、補正量ΔＴＸとして０．５の大きさを与えているものとする。このときの補正量ΔＴＸは、蓄積されたデータベースからガスタービン出口排気温度の補正量を定めたものである。
【００５３】
加算回路９６では、１０．５から１１．５に向かって時系列的増加する信号が得られ、除算回路９７には、１０／１０．５ないし１１／１１．５なる値が求められる。更に乗算回路９８では加算回路９６の出力にガスタービン出口排気温度Ｔ１が乗算される。このようにして得られた信号Ｘ１は、明らかに信号Ｘ２よりも小さな信号である。例えば、ガスタービン出口排気温度Ｔ１（信号Ｘ２）が１１に増大した時のガスタービン出口排気温度Ｔ１（信号Ｘ１）は、１０．５程度の大きさに緩和されている。
【００５４】
従って、最終的に選択回路９５により選択された信号は、時間経過に伴い一度増加傾向を示すが、選択回路９５での切り替え後は増加傾向は示すものの大きさが制限された時系列的変化を示すことになる。
【００５５】
以上述べたように、通常時は排気温度制御にフィードバックされるガスタービン出口排気温度Ｔ１は、測定された温度を利用しているが、図３に示す補正適用範囲内の排気温度偏差ΔＴが検出されると、計測したガスタービン出口排気温度が補正される。図３の補正適用範囲にいるということは、高温部品の劣化によって測定領域の排気温度が局所的に高くなっているということであるため、計画時の温度になるように計測された排気温度の補正を行うことで、計画の燃焼温度に修正することが可能である。
【００５６】
図５に示すように、性能補正が行われない通常時は、計測されたガスタービン出口排気温度は、そのまま排気温度制御の演算へとフィードバックされるが、計測された排気温度偏差ΔＴが、任意に決めた性能補正適用範囲内におり、かつ性能補正を実施する手動ボタンが押えている状態になると、補正を適用する仕組みとなっている。性能補正に関して、制御装置内に蓄積されているデータベースと測定された排気温度偏差ΔＴとの関連性から、ガスタービン出口排気温度の補正量が算出される。
【００５７】
算出された補正量の分だけ、計測されたガスタービン出口排気温度を引き下げることによって、補正適用前よりも排気温度制御線とフィードバックされる排気温度の間に裕度ができるため、投入可能な燃料流量が増加し、燃焼温度を計画温度にまで引き上げることができる。以上の方法により低下した燃焼温度を計画温度にまで修正することによって、プラント性能劣化を補正することが可能である。
【００５８】
また、以上の説明では、コンバインドサイクルプラントでの実施例を説明したが、排熱回収ボイラ入口排気温度を、排気スタック入口排気温度に変更することによって、シンプルサイクルプラントにも同様な性能劣化補正機能を適用することが可能であり、この発明の範囲を限定する趣旨ではなく、単なる説明に過ぎないものである。
【００５９】
このように本発明は、ガスタービンと、ガスタービンの排ガスを利用する排熱回収ボイラとを有するコンバインドサイクル発電プラント、もしくはガスタービンと排気スタックを有するシンプルサイクル発電プラントに用いられ、ガスタービンの高温部品の劣化に伴う性能劣化を自動で補正する機能に関する。
【００６０】
ガスタービンの出口排気温度と排熱回収ボイラの入口排気温度の温度差、もしくはガスタービンの出口排気温度と排気スタックの入口排気温度の温度差を計測し、ガスタービンの運転を制御するプラント制御装置は、測定されたガスタービンの出口側温度と排熱回収ボイラの入口側温度の温度差の変化により、データベースに予め蓄積された温度差と燃焼温度との関係を用いて、計画燃焼温度と現状の燃焼温度の偏差を算出し、測定されたガスタービンの出口排気温度を補正することによって、燃焼温度を計画温度へ補正するように、燃料流量制御弁を制御することによって、ガスタービンの性能劣化を補正するようにしたものである。
【００６１】
かかる方法により、ガスタービン高温部品の劣化により生じるプラント性能劣化程度を把握し、自動で性能劣化を計画時の性能へ補正することができる。
【００６２】
また本発明のプラント制御装置は、データベースに予め蓄積された温度差と燃焼温度との関係を用いて、ガスタービンの計画燃焼温度と現状での燃焼温度の偏差を予測するものである。
【００６３】
さらにプラント制御装置は、燃焼温度が一定となるように、圧縮機出口圧力及び排気温度で設定される排気温度制御線を用いて、ガスタービンの出口側の排ガス温度が排気温度制御線に一致するように制御するようにしたものである。
【００６４】
さらにプラント制御装置は、燃焼温度の低下幅と性能劣化幅から、性能回復に必要なガスタービンの出口排気温度の増加幅を算出し、測定されたガスタービンの出口排気温度を補正することで、燃焼温度を計画温度へ調整するために燃料流量制御弁を制御する。
【００６５】
また本発明は、ガスタービンと、ガスタービンの排ガスを利用する排熱回収ボイラと、プラント制御装置を有するコンバインドサイクル発電プラント、もしくはガスタービンと、排気スタックと、プラント制御装置を有するシンプルサイクル発電プラントに用いられ、ガスタービンの高温部品の劣化に伴う性能劣化を自動で補正する。ガスタービンの出口排気温度と排熱回収ボイラの入口排気温度の温度差、もしくはガスタービンの出口排気温度と排気スタックの入口排気温度の温度差を計測し、ガスタービンの運転を制御するプラント制御装置は、測定されたガスタービンの出口側温度と排熱回収ボイラの入口側温度の温度差の変化により、データベースに予め蓄積された温度差と燃焼温度との関係を用いて、計画燃焼温度と現状の燃焼温度の偏差を算出し、測定された前記ガスタービンの出口排気温度を補正することによって、燃焼温度を計画温度へ補正するように、燃料流量制御弁を制御することによって、前記ガスタービンの性能劣化を自動で補正するようにしたものである。
【符号の説明】
【００６６】
１：空気圧縮機
２：燃焼器
３：ガスタービン
４：燃料流量調節弁
７：排熱回収ボイラ
８：排気ダクト
９：制御装置
９Ａ：調節機能部
９Ｂ：排気温度補正部
９Ｃ：補正条件確認部
９１：ガスタービン出口排気温度設定器
９２：減算回路
９３：比例積分調節器
９４：切替回路
９５：選択回路
９６：加算回路
９７：除算回路
９８：乗算回路
９９，１００：比較回路
１０１：論理積回路
Ｔ１：ガスタービン出口排気温度
Ｔ２：排熱回収ボイラ入口排気温度
Ｔ１０：ガスタービン出口排気温度の設定値
ΔＴ：排気温度偏差
ΔＴ１：ガスタービン出口排気温度設定値とガスタービン出口排気温度との偏差
【図１】
2015001215.tif 000003
【図２】
2015001215.tif 000004
【図３】
2015001215.tif 000005
【図４】
2015001215.tif 000006
【図５】
2015001215.tif 000007